(57)【要約】【課題】一般に市販されているワイシャツ等にそのまま取り付けることが可能で、ネクタイを部分的に異なる柄や色として組み合わせを楽しむことも可能な着脱式ネクタイを提供すること。【解決手段】この考案の着脱式ネクタイは、ネクタイ本体１を、その上端部１ａを留め具２に保持させて垂下させるようにした着脱式ネクタイであって、留め具２は、前壁２ａを略逆三角形状とし、上辺側、左辺側及び右辺側にそれぞれ側壁２ｂ、２ｃ、２ｄを設けており、上辺側の側壁２ｂに切れ込み部３を有し、この切れ込み部３付近に首元付近に位置する着用物の掛止具４を引っ掛けるようにしており、さらに、下端側において左辺側の側壁２ｃと右辺側の側壁２ｄの間にネクタイ本体１の上端部１ａを挟むようにした保持部５を設けている。【選択図】図２
0003133894.tif 000002
【実用新案登録請求の範囲】
【請求項１】
ネクタイ本体（１）を、その上端部（１ａ）を留め具（２）に保持させて垂下させるようにした着脱式ネクタイであって、留め具（２）は、前壁（２ａ）を略逆三角形状とし、上辺側、左辺側及び右辺側にそれぞれ側壁（２ｂ）（２ｃ）（２ｄ）を設けており、上辺側の側壁（２ｂ）に切れ込み部（３）を有し、この切れ込み部（３）付近に首元付近に位置する着用物の掛止具（４）を引っ掛けるようにしており、さらに、下端側において左辺側の側壁（２ｃ）と右辺側の側壁（２ｄ）の間にネクタイ本体（１）の上端部（１ａ）を挟むようにした保持部（５）を設けていることを特徴とする着脱式ネクタイ。
【請求項２】
ネクタイ本体（１）を、その上端部（１ａ）を留め具（２）に保持させて垂下させるようにした着脱式ネクタイであって、留め具（２）は、前壁（２ａ）を略逆三角形状とし、上辺側、左辺側及び右辺側にそれぞれ側壁（２ｂ）（２ｃ）（２ｄ）を設けており、上辺側の側壁（２ｂ）に切れ込み部（３）を有し、この切れ込み部（３）付近に首元付近に位置する着用物の掛止具（４）を引っ掛けるようにしており、さらに、下端側において左辺側の側壁（２ｃ）と右辺側の側壁（２ｄ）の間にネクタイ本体（１）の上端部（１ａ）を挟むようにした保持部（５）を設けており、
そして、ワイシャツの第１ボタン（４ａ）及びそのボタン付け糸（４ｂ）を前記着用物の掛止具（４）とし、ワイシャツの第１ボタン（４ａ）が上辺側の側壁（２ｂ）の内側に位置するように、切れ込み部（３）に前記ボタン付け糸（４ｂ）を入り込ませるようにしたものであることを特徴とする着脱式ネクタイ。
【請求項３】
ネクタイ本体（１）を、その上端部（１ａ）を留め具（２）に保持させて垂下させるようにした着脱式ネクタイであって、留め具（２）は、前壁（２ａ）を略逆三角形状とし、上辺側、左辺側及び右辺側にそれぞれ側壁（２ｂ）（２ｃ）（２ｄ）を設けており、上辺側の側壁（２ｂ）に切れ込み部（３）を有し、この切れ込み部（３）付近に首元付近に位置する着用物の掛止具（４）を引っ掛けるようにしており、さらに、下端側において左辺側の側壁（２ｃ）と右辺側の側壁（２ｄ）の間にネクタイ本体（１）の上端部（１ａ）を挟むようにした保持部（５）を設けており、
そして、着用者の首に着用されるようにした輪状着用物（９）に設けた先端部が拡径した突起（４ｃ）を前記着用物の掛止具（４）とし、前記突起（４ｃ）の先端部が上辺側の側壁（２ｂ）の内側に位置するように、切れ込み部（３）に前記突起（４ｃ）の拡径していない部分を入り込ませるようにしたものであることを特徴とする着脱式ネクタイ。
【請求項４】
着用者の首元付近に位置する留め具（２）に設けた左辺側及び右辺側の側壁（２ｃ）（２ｄ）の間に上端部（１ａ）を挟んで取り付けられるようにしたネクタイ本体（１）であって、前記上端部（１ａ）にくびれた部分を設けたことを特徴とするネクタイ本体（１）。
【考案の詳細な説明】
【技術分野】
【０００１】
この考案は、着用物への取り付け及び取り外しが可能な着脱式ネクタイに関するものである。
【背景技術】
【０００２】
従来、着用物への取り付け及び取り外しが可能なものとして、特許文献１に記載のネクタイがある。
【０００３】
このネクタイは、首に巻かれるネクタイの首部１を切断して主ネクタイ部１０と補助ネクタイ部２０とに分離し、各ネクタイ部１０、２０の切断部位にはマジックテープ（登録商標）等の固定手段１１、２１をそれぞれ取り付け、各固定手段１１、２１が露出するように各ネクタイ部１０、２０を結んで結び目部３０を形成し、この結び目部３０から露出した各固定手段１１、２１に対応する補助固定手段４１をシャツ４０の首部にそれぞれ取り付け、各固定手段１１、２１を各補助固定手段４１、４１にそれぞれ接合してシャツ４０に固定するように構成したものであり、極めて短時間で着脱できるようになっている。
【０００４】
しかし、前記ネクタイは、シャツ４０に前記各補助固定手段４１、４１を接合しておく必要があり、一般に市販されているワイシャツ等にそのまま取り付けることはできない。
【０００５】
また、前記ネクタイは、各ネクタイ部１０、２０を結んで結び目部３０を形成しているため、各ネクタイ部１０、２０と結び目部３０の柄や色を互いに異なるものとするなど組み合わせを楽しむことは不可能であった。
【特許文献１】実開平９−２４４号公報
【考案の開示】
【考案が解決しようとする課題】
【０００６】
そこで、この考案は、一般に市販されているワイシャツ等にそのまま取り付けることが可能で、ネクタイを部分的に異なる柄や色として組み合わせを楽しむことも可能な着脱式ネクタイを提供することを課題とする。
【課題を解決するための手段】
【０００７】
この考案の着脱式ネクタイは、ネクタイ本体１を、その上端部１ａを留め具２に保持させて垂下させるようにした着脱式ネクタイであって、留め具２は、前壁２ａを略逆三角形状とし、上辺側、左辺側及び右辺側にそれぞれ側壁２ｂ、２ｃ、２ｄを設けており、上辺側の側壁２ｂに切れ込み部３を有し、この切れ込み部３付近に首元付近に位置する着用物の掛止具４を引っ掛けるようにしており、さらに、下端側において左辺側の側壁２ｃと右辺側の側壁２ｄの間にネクタイ本体１の上端部１ａを挟むようにした保持部５を設けている。
【０００８】
また、ワイシャツの第１ボタン４ａ及びそのボタン付け糸４ｂを前記着用物の掛止具４とし、ワイシャツの第１ボタン４ａが上辺側の側壁２ｂの内側に位置するように、切れ込み部３に前記ボタン付け糸４ｂを入り込ませるようにしたものとすることができる。
【０００９】
さらに、着用者の首に着用されるようにした輪状着用物９に設けた先端部が拡径した突起４ｃを前記着用物の掛止具４とし、前記突起４ｃの先端部が上辺側の側壁２ｂの内側に位置するように、切れ込み部３に前記突起４ｃの拡径していない部分を入り込ませるようにしたものとすることができる。
【００１０】
また、ネクタイ本体１は、着用者の首元付近に位置する留め具２に設けた左辺側及び右辺側の側壁２ｃ，２ｄの間に上端部１ａを挟んで取り付けられるようにしたものであって、前記上端部１ａにくびれた部分を設けたものとすることができる。
【考案の効果】
【００１１】
この考案の着脱式ネクタイは、上述のような構成を有しており、留め具２の切れ込み部３付近に着用物の掛止具４（例えば、ワイシャツの第１ボタン４ａ及びボタン付け糸４ｂ）を引っ掛けることにより、着用物の首元付近に留め具２を位置させ、その下にネクタイ本体１を垂下させるようにしたものであるので、一般に市販されているワイシャツ等にそのまま取り付けることができる。
【００１２】
しかも、ネクタイ本体１と留め具２とは、互いに異なる柄や色とすることができるので、様々な柄や色の組み合わせを楽しむことが可能となっている。
【００１３】
また、ワイシャツの第１ボタン４ａ及びそのボタン付け糸４ｂを前記着用物の掛止具４とし、ワイシャツの第１ボタン４ａが上辺側の側壁２ｂの内側に位置するように、切れ込み部３に前記ボタン付け糸４ｂを入り込ませるようにしたものとすれば、留め具２の上辺側の側壁２ｂを、ワイシャツの生地と第１ボタン４ａとの間に挟んだ状態にして、しっかりと取り付けることが可能となる。
【００１４】
さらに、着用者の首に着用されるようにした輪状着用物９に設けた先端部が拡径した突起４ｃを前記着用物の掛止具４とし、前記突起４ｃの先端部が上辺側の側壁２ｂの内側に位置するように、切れ込み部３に前記突起４ｃの拡径していない部分を入り込ませるようにしたものとすれば、ワイシャツ等の衣服の第１ボタン４ａを利用せずに取り付けることが可能となる。
【００１５】
また、ネクタイ本体１が、着用者の首元付近に位置する留め具２に設けた左辺側及び右辺側の側壁２ｃ，２ｄの間に上端部１ａを挟んで取り付けられるようにしたものであって、前記上端部１ａにくびれた部分を設けたものとすれば、留め具２の保持部５にしっかりと保持され、脱落することが防止される。しかも、ネクタイ本体１の留め具２の下に露出する部分において凹み（ディンプル）が形成されていれば、その状態が維持されるため、見栄えのよいものとなる。
【考案を実施するための最良の形態】
【００１６】
以下、この考案の好適な実施形態を、図面を参照して説明する。
【００１７】
図１はこの考案の実施形態の着脱式ネクタイをワイシャツに取り付けた場合の斜視図、図２はこの着脱式ネクタイの分解状態の斜視図、図３はネクタイ本体１を留め具２に保持させた状態の説明図、図４は他の実施形態のネクタイ本体１の正面図、図５は表側を上にした場合の留め具２の斜視図、図６は裏側を上にした場合の留め具２の斜視図、図７は留め具２のワイシャツへの取り付け状態を示す説明図（留め具２を切れ込み部３より少し左側の位置で切断した場合）である。
【００１８】
この着脱式ネクタイは、ネクタイ本体１を、その上端部１ａを留め具２に保持させて垂下させるようにした着脱式ネクタイであって、留め具２は、前壁２ａを略逆三角形状とし、上辺側、左辺側及び右辺側にそれぞれ側壁２ｂ、２ｃ、２ｄを設けており、上辺側の側壁２ｂに切れ込み部３を有し、この切れ込み部３付近に首元付近に位置する着用物の掛止具４を引っ掛けるようにしており、さらに、下端側において左辺側の側壁２ｃと右辺側の側壁２ｄの間にネクタイ本体１の上端部１ａを挟むようにした保持部５を設けたものとしている。
【００１９】
ネクタイ本体１は、一般に市販されているネクタイと同様な生地からなるものとすることができる。ネクタイ本体１は、中間部分を折ってこの折った部分を上端部１ａとし、その一端側を大検部１ｂ、他端側を小剣部１ｃとしたものとすることができる。
【００２０】
ネクタイ本体１は、その上端部１ａを、後述のワイシャツ６等の着用者の首元付近に位置する留め具２の保持部５に挟み込ませることにより取り付ける。上端部１ａは、図２に示したように、前面側が凹状になるように左右縁部を曲げたり、あるいは上面視においてＷ字状になるように折り曲げたりし（図示せず）、さらに結束具７を取り付けたり縫製したりすることによってくびれた部分を設けた形状とすることができる。前記結束具７は、ゴムや布等の輪状のものとすることができる。
【００２１】
ネクタイ本体１は、このくびれた部分を留め具２の保持部５に挟み込ませることにより、くびれた部分の上方の部分が、留め具２の内側において保持部５の大きさよりも大きく広がって、しっかりと保持され、脱落することが防止されるようにすることができる。
【００２２】
前記結束具７を取り付けた場合においては、図３に示したように、結束具７が留め具２の内側において保持部５に引っ掛かり、ネクタイ本体１の脱落が防止される。
【００２３】
また、このネクタイ本体１は、図１に示したように、留め具２の下に露出する部分において、前記くびれた部分を設けたときに形成される雫形状等の凹み（ディンプル）８の形状を維持できるため、見栄えのよいものとなっている。なお、ネクタイ本体１は、図４に示したような形状にするなど、様々に形状を変えて楽しむことができる。
【００２４】
このネクタイ本体１は、首の周りに巻くものではなく、また結び目をつくらないため、展開状態においては一般に市販されているネクタイよりも短めのものとするとよい。なお、ネクタイ本体１は、小剣部のないものとすることもできる。また、留め具２に保持された状態を確実に維持できるようにするため、上端部１ａを太くし、さらに硬くしてもよい。
【００２５】
留め具２は、略四角形の金属製の板を曲げ加工等して作成することができる。留め具２は、光沢のある金属色としたり、宝石を付着させるなど装飾加工を施したり、その他適宜の色や柄を付したものとすることができる。上辺側、左辺側及び右辺側の各側壁２ｂ、２ｃ、２ｄは、それぞれ前壁２ａに対し適宜の丸みを帯びて連続しており、一般のネクタイの着用時における結び目をイメージさせる形状となっている。
【００２６】
上辺側の側壁２ｂは、左右に略帯状に延びる比較的平坦な面となっている。この上辺側の側壁２ｂは、ワイシャツ等の着用物の首元付近の箇所に接触する部分であり、首元にフィットするような凹状の曲面とすることが望ましい。
【００２７】
切れ込み部３は、上辺側の側壁２ｂの中央後端部から前方（前壁２ａ側）に向かって略中央の位置まで至るように形成されている。切れ込み部３の前端側の部分３ａは丸孔状であり、後端側の部分３ｂは半円状で、その中間の部分３ｃは比較的細いスリット状となっている。前端側の部分３ａの径は、後述の着用物の掛止具４の径より小さいものとしている。
【００２８】
なお、切れ込み部３の形状は図示したものに限定されず、その付近（切れ込みの縁の部分）に着用物の掛止具４が引っ掛かって、着用者が着脱操作をしていないときに掛止具４が勝手にはずれてしまうようなことが防止されるようになっていればよい。
【００２９】
左辺側及び右辺の各側壁２ｃ、２ｄは曲面状であり、図６に示したように、それぞれの下端部は、留め具２の裏側の下部において接近して８ｍｍ程度の間隔を有しており、この両側壁２ｃ、２ｄ間にわたる略馬蹄形の保持部５が形成されている。
【００３０】
この着脱式ネクタイをワイシャツに取り付けるには、ワイシャツの第１ボタン４ａ及びボタン付け糸４ｂを掛止具４として利用することができる。この場合、ワイシャツの第１ボタン４ａが、留め具２の上辺側の側壁２ｂの内側に位置するように、切れ込み部３に前記第１ボタン４ａのボタン付け糸４ｂを入り込ませることにより、着用者の首元付近に留め具２を固定する。
【００３１】
切れ込み部３の後端側の部分３ｂは拡径した半円状となっているため、容易にワイシャツの生地と第１ボタン４ａとの間に留め具２の上辺側の側壁２ｂを差し込み、切れ込み部３にボタン付け糸４ｂを進入させることが可能で、さらに、ボタン付け糸４ｂが切れ込み部３の前端側の部分３ａに達すると、図７に示したように、留め具２の上辺側の側壁２ｂは、ワイシャツの生地６と第１ボタン４ａとの間に挟まれた状態となり、留め具２がしっかりと首元付近に取り付けられた状態を維持できるようになっている。
【００３２】
なお、留め具２をワイシャツに取り付けてからネクタイ本体１を留め具２に保持させてもよいし、ネクタイ本体１を留め具２に保持させてから留め具２をワイシャツに取り付けてもよい。
【００３３】
また、留め具２は、ワイシャツ等の衣服状の着用物に限定されず、図８に示したような、先端部が拡径した突起４ｃを設けた、着用者の衣服の首周りに着用されるようにした輪状着用物９に固定することもできる。
【００３４】
この場合は、前記突起４ｃを掛止具４として利用し、当該突起４ｃの先端部が上辺側の側壁２ｂの内側に位置するように、切れ込み部３に前記突起４ｃの拡径していない部分を入り込ませることにより、着用者の首元付近に留め具２を固定することができる。
【００３５】
この着脱式ネクタイは、前述のように、ネクタイ本体１と留め具２とで構成されており、一般に市販されているネクタイのようにワイシャツの首周りに巻いて結び目をつくる必要がないため、容易に着脱することが可能で、また、首周りが暑苦しくならず、快適に着用することができる。
【００３６】
しかも、ネクタイ本体１と留め具２とは、互いに異なる柄や色とすることができるので、従来のネクタイの大検部と結び目にはない柄や色の組み合わせを楽しむことが可能となっている。
【００３７】
以上がこの考案の実施形態であるが、この考案は上述の構成に限定されるものではなく、形状、材質、寸法等を適宜変更して実施することができる。
【図面の簡単な説明】
【００３８】
【図１】この考案の実施形態の着脱式ネクタイをワイシャツに取り付けた場合の斜視図である。
【図２】この考案の実施形態の着脱式ネクタイの分解状態の斜視図である。
【図３】この考案の実施形態の着脱式ネクタイの、ネクタイ本体を留め具に保持させた状態の説明図。
【図４】この考案の他の実施形態の着脱式ネクタイのネクタイ本体の正面図。
【図５】この考案の実施形態の着脱式ネクタイの表側を上にした場合の留め具の斜視図である。
【図６】この考案の実施形態の着脱式ネクタイの裏側を上にした場合の留め具の斜視図である。
【図７】この考案の実施形態の着脱式ネクタイの留め具とワイシャツとの取り付け状態を示す説明図である。
【図８】輪状着用物の斜視図である。
【符号の説明】
【００３９】
１  ネクタイ本体
１ａ  ネクタイ本体の上端部
２  留め具
２ａ  前壁
２ｂ  上辺側の側壁
２ｃ  左辺側の側壁
２ｄ  右辺側の側壁
３  切れ込み部
４  掛止具
４ａ  第１ボタン
４ｂ  ボタン付け糸
４ｃ  突起
５  保持部
９  輪状着用物
【図１】
0003133894.tif 000003
【図２】
0003133894.tif 000004
【図３】
0003133894.tif 000005
【図４】
0003133894.tif 000006
【図５】
0003133894.tif 000007
【図６】
0003133894.tif 000008
【図７】
0003133894.tif 000009
【図８】
0003133894.tif 000010